(57)【要約】【課題】収納管理の自由度を高めるとともに複数の情報媒体を混在して扱うことのできる収納ホルダを提供する。【解決手段】  収納ホルダ１は、表シート７と裏シート９とを備えて少なくとも一辺を開口させたホルダ本体３と、表シート７と裏シート９との間に配設された仕切りシート５と、ホルダ本体３の一端部にバインダに綴じるための複数の綴じ穴Ｈａ〜Ｈｃを貫通形成した綴じ部１１とを備えている。また、収納ホルダ１は、表シート７と仕切りシート５とを第１〜第６溶着部Ｓ１〜Ｓ６にて溶着することによって記録媒体Ｍや冊子等を収納する第１〜第４収納部２１〜２４が形成される。そして、収納ホルダ１を第１〜第６溶着部Ｓ１〜Ｓ６及び第１〜第６折り目Ｋ１〜Ｋ６にて折り畳むことにより、プラケースとほぼ同じ外形となる。【選択図】        図１
2005298033.tif 000002
【特許請求の範囲】
【請求項１】
表シートと裏シートとを備えて少なくとも一辺を開口させたホルダ本体と、
前記表シートと前記裏シートとの間に配設された仕切りシートと、
前記ホルダ本体及び前記仕切りシートの一端部にファイル用具に綴じるための複数の綴じ穴を貫通形成した綴じ部と、
前記表シートと前記仕切りシートのそれぞれ対応した位置に複数の溶着部と複数の折り目とを備え、前記複数の溶着部にて溶着することによって形成された記録媒体や冊子を収納する複数の収納部とを備え、
前記複数の溶着部と前記複数の折り目に従って折り畳むことにより、プラケースとほぼ同じ外形となることを特徴とする収納ホルダ。
【請求項２】
表シートと裏シートとを備えて少なくとも一辺を開口させたホルダ本体と、
前記表シートと前記裏シートとの間に配設された仕切りシートと、
前記ホルダ本体の一端部にファイル用具に綴じるための複数の綴じ穴を貫通形成した綴じ部と、
前記表シートと前記仕切りシートの対応した位置に複数の溶着部を備え、前記複数の溶着部にて溶着することによって形成された記録媒体や冊子を収納する複数の収納部とを備え、
前記仕切りシートと前記裏シートとを溶着することにより、書類収納部が形成されていることを特徴とする収納ホルダ。
【請求項３】
請求項１または２に記載の収納ホルダにおいて、
前記複数の溶着部と前記複数の折り目に従って、プラケースとほぼ同じ外形に折り畳んだ際に背表紙に対応する箇所の上端と下端に、それぞれ前記ホルダ本体及び前記仕切りシートを貫通する貫通孔が形成されていることを特徴とする収納ホルダ。
【発明の詳細な説明】
【技術分野】
【０００１】
本発明は、収納ホルダに関する。
【背景技術】
【０００２】
従来、ＣＤＲＯＭやＤＶＤＲＯＭ等の記録媒体や書類等の管理、収納は職場毎に異なっており、バインダ、ラック、ＢＯＸ等の職場毎に固定の方式で管理、収納していた。例えば、ある職場では、バインダに記録媒体と書類を両方とも管理、収納していた。また別の職場では、記録媒体は、プラケースに収納され、そのプラケースをラック等に収納していた。そして、書類はファイル等に収納し、記録媒体とは異なるラックに収納していた。
【発明の開示】
【発明が解決しようとする課題】
【０００３】
しかしながら、職場毎に固定の方式で管理、収納していると、異なる職場間で記録媒体や書類をやりとりするときに不便であった。例えば、記録媒体をラックに収納している職場にバインダに綴じた記録媒体を持って行くと、同じラックに収納することができなかった。そのため、他の記録媒体と同じラックに収納するためには、バインダの他にプラケースを用意する必要があった。また、書類と記録媒体とを別々に保管していると、１つの仕事に関する資料が散在してしまい、不便であった。
【０００４】
本発明は、上記問題点を解消するためになされたものであって、その目的は、収納管理の自由度を高めるとともに複数の情報媒体を混在して扱うことのできる収納ホルダを提供することにある。
【課題を解決するための手段】
【０００５】
上記問題点を解決するために、本発明の収納ホルダは、表シートと裏シートとを備えて少なくとも一辺を開口させたホルダ本体と、前記表シートと前記裏シートとの間に配設された仕切りシートと、前記ホルダ本体及び前記仕切りシートの一端部にファイル用具に綴じるための複数の綴じ穴を貫通形成した綴じ部と、前記表シートと前記仕切りシートのそれぞれ対応した位置に複数の溶着部と複数の折り目とを備え、前記複数の溶着部にて溶着することによって形成された記録媒体や冊子を収納する複数の収納部とを備え、前記複数の溶着部と前記複数の折り目に従って折り畳むことにより、プラケースとほぼ同じ外形となる。
【０００６】
この発明によれば、表シートと仕切りシートとを複数の溶着部にて溶着することによって形成された複数の収納部に記録媒体や冊子を収納し、ホルダ本体及び仕切りシートの一端部に貫通形成された綴じ穴にてファイル用具に綴じることができる。また、複数の溶着部と複数の折り目にて折り畳むことにより、収納ホルダは、プラケースとほぼ同じ外形となる。この結果、複数の記録媒体や冊子等を嵩張らずに持ち運べるとともに、収納ホルダを折り畳むことにより、例えば、記録媒体や冊子等を一緒に他のプラケースと同じラック等に収納することができる。従って、収納管理の自由度を高めるとともに複数の情報媒体を混在して扱うことができる。
【０００７】
本発明の収納ホルダは、表シートと裏シートとを備えて少なくとも一辺を開口させたホルダ本体と、前記表シートと前記裏シートとの間に配設された仕切りシートと、前記ホルダ本体の一端部にファイル用具に綴じるための複数の綴じ穴を貫通形成した綴じ部と、前記表シートと前記仕切りシートの対応した位置に複数の溶着部を備え、前記複数の溶着部にて溶着することによって形成された記録媒体や冊子を収納する複数の収納部とを備え、
前記仕切りシートと前記裏シートとを溶着することにより、書類収納部が形成されている。
【０００８】
この発明によれば、収納ホルダは、表シートと仕切りシートとの間に複数の収納部を備え、仕切りシートと裏シートとを溶着することにより書類収納部が形成されている。従って、複数の記録媒体や冊子を収納できるとともに、例えば、記録媒体に付帯する一連の紙資料等の書類も共に収納できるので、収納管理の自由度を高めるとともに複数の情報媒体を混在して扱うことができる。
【０００９】
本発明の収納ホルダは、前記複数の溶着部と前記複数の折り目に従って、プラケースとほぼ同じ外形に折り畳んだ際に背表紙に対応する箇所の上端と下端に、それぞれ前記ホルダ本体及び前記仕切りシートを貫通する貫通孔が形成されている。
【００１０】
この発明によれば、複数の溶着部と前記複数の折り目に従って、プラケースとほぼ同じ外形に折り畳んだ際に背表紙に対応する箇所の上端と下端に、それぞれホルダ本体及び仕切りシートを貫通する貫通孔が形成されているので、収納ホルダを折り畳んで使用する際に、折り畳みの角を容易に美しく折り畳むことができる。
【発明の効果】
【００１１】
本発明によれば、収納管理の自由度を高めるとともに複数の情報媒体を混在して扱うことができる。
【発明を実施するための最良の形態】
【００１２】
以下、本発明の収納ホルダを具体化した一実施形態を、図１〜図４に従って説明する。
図１は収納ホルダの概略を説明するための表面側からみた平面図、図２は同じく裏面側からみた背面図、図３は収納ホルダの図１ａ‐ａ線での断面図、図４は収納ホルダの使用方法を説明するための説明図である。
【００１３】
図１に示すように、収納ホルダ１は、ホルダ本体３とホルダ本体３内に配置された仕切りシート５（図３参照）とを備えている。ホルダ本体３は、例えば、半透明な軟質塩化ビニルシートから形成されており、略長方形状に形成されている。ホルダ本体３は、長方形のシートを、図３に示すように、真ん中で折り返してその折り返された辺を右辺とし、図１に示すように、その反対側の重なり合った左辺と下辺を熱溶着し上辺を開口部とした袋状に形成されている。そして、この袋状のホルダ本体３の正面側を表シート７、背面側を裏シート９としている。
【００１４】
また、ホルダ本体３内に配置された仕切りシート５は、例えば、透明な塩化ビニルシートから形成されており、図３に示すように、その左辺と下辺が表シート７と裏シート９の間に挟まって、ホルダ本体３に対して熱溶着されている。仕切りシート５は、前記ホルダ本体３の幅よりも若干小さく形成されるとともに、図１に示すように、ホルダ本体３の高さと同じ高さで、略長方形状に形成されている。
【００１５】
従って、収納ホルダ１は、図３に示すように、仕切りシート５によって、ホルダ本体３の内部が表シート７側と裏シート９側とに２分割される。そして、仕切りシート５と裏シート９とで構成される空間によって書類Ｐを収納する書類収納部１０を構成している。また、収納ホルダ１は、表シート７と仕切りシート５との間にＣＤＲＯＭやＤＶＤＲＯＭ等の記録媒体Ｍが出し入れできるようになっているが、その詳細については後述する。
【００１６】
図１及び図２に示すように、収納ホルダ１の図１における左側部には、図示しないファイル用具としてのバインダに綴じるための所定の間隔Ｄ１を有する綴じ部１１が形成され
ている。綴じ部１１は、表シート７、裏シート９及び仕切りシート５を左辺から右辺に向かって間隔Ｄ１に位置する第１溶着部Ｓ１にて熱溶着することで形成されている。
【００１７】
綴じ部１１には、複数の綴じ穴Ｈａ，Ｈｂ，Ｈｃが長手方向に沿って一定間隔毎に貫通形成されている。詳しくは、綴じ穴Ｈａは２穴用バインダに、綴じ穴Ｈｂは３穴用バインダに、綴じ穴Ｈａ，Ｈｃは４穴用バインダに対応している。このように形成することで、収納ホルダ１を異なる穴数の金具を備えたバインダにも綴じることができる。
【００１８】
また、綴じ部１１の長手方向の中心部には、第１折り目Ｋ１が形成されているとともに、その第１折り目Ｋ１を挟んで第２折り目Ｋ２、第３折り目Ｋ３が形成されている。第１〜第３折り目Ｋ１〜Ｋ３はホルダ本体３及び仕切りシート５（収納ホルダ１）を３枚重ね合わせる際の折り曲げ部であって、第１折り目Ｋ１は山折り部で、第２及び第３折り目Ｋ２，Ｋ３は谷折り部になっている。そして、第２折り目Ｋ２と上辺の間隔Ｄ４と、第３折り目Ｋ３と下辺との間隔Ｄ５は同じ間隔になっている。
【００１９】
綴じ部１１の第１溶着部Ｓ１と平行であって、同第１溶着部Ｓ１から右辺に向かって所定の間隔Ｄ２離れた位置の表シート７と仕切りシート５とが熱溶着され、その溶着部を第２溶着部Ｓ２としている。又、この第２溶着部Ｓ２は、第２溶着部Ｓ２と右辺までの間隔Ｄ３が前記間隔Ｄ２と一致する位置に形成される。
【００２０】
又、綴じ部１１に形成した第２折り目Ｋ２及び第３折り目Ｋ３の延長線上であって、第１溶着部Ｓ１から第２溶着部Ｓ２の間には、それぞれ第３及び第４溶着部Ｓ３，Ｓ４が形成されている。第３及び第４溶着部Ｓ３，Ｓ４にて、表シート７と仕切りシート５とは熱溶着される。第３及び第４溶着部Ｓ３，Ｓ４の延長線上より若干中心よりであって、第２溶着部Ｓ２から右辺の間には、それぞれ第５及び第６溶着部Ｓ５，Ｓ６が形成されている。第５及び第６溶着部Ｓ５，Ｓ６にて、表シート７と仕切りシート５とは熱溶着される。これによって、収納ホルダ１において、表シート７と仕切りシート５とで形成される空間は、４つに分割される。
【００２１】
第４溶着部Ｓ４及び第６溶着部Ｓ６の下側の表シート７は、それぞれ第４及び第６溶着部Ｓ４，Ｓ６に沿って切り込み形成され、第４及び第６溶着部Ｓ４，Ｓ６で密閉された空間が開口される。これによって、前記４つに区画された空間は、それぞれ上部が開口した、記録媒体Ｍや例えば歌詞カード等の冊子を収納する複数の収納部としての第１〜第４収納部２１〜２４となる。そして、第１〜第４収納部２１〜２４の各々の表シート７の上端の中央部分を円弧状に切り欠いて取り出し口２１ａ〜２４ａが形成され、記録媒体Ｍや冊子等の収納及び取り出しを容易にしている。
【００２２】
第１〜第４収納部２１〜２４の取り出し口２１ａ〜２４ａに対応する仕切りシート５には、円弧状の切り込み部２５が形成されている。各切り込み部２５は、それぞれ取り出し口２１ａ〜２４ａと係合させて、第１〜第４収納部２１〜２４に収納した記録媒体Ｍや冊子等が、第１〜第４収納部２１〜２４から飛び出ないようにしている。
【００２３】
第１溶着部Ｓ１と平行であって同第１溶着部Ｓ１から右辺に向かって所定の間隔Ｄ６離れた位置、第２溶着部Ｓ２と平行であって同第２溶着部Ｓ２から右辺に向かって前記間隔Ｄ６離れた位置には、それぞれ第４折り目Ｋ４及び第５折り目Ｋ５が形成されている。第４及び第５折り目Ｋ４，Ｋ５は、山折り部であって、収納ホルダ１を折り畳む際に利用される。この第４及び第５折り目Ｋ４，Ｋ５までの間隔Ｄ６は、第３溶着部Ｓ３と第４溶着部Ｓ４間の間隔Ｄ７の半分の長さになっている。
【００２４】
因みに、図１において、第１溶着部Ｓ１と第４折り目Ｋ４の間と、第２溶着部Ｓ２と第
第５折り目Ｋ５の間の部分をそれぞれ第１及び第２マチ部２８、２９としている。すなわち、本実施形態では、間隔Ｄ２（＝Ｄ３）から間隔Ｄ６を減算した値は、記録媒体Ｍの直径に相当するようにしている。さらに、第１溶着部Ｓ１、第２溶着部Ｓ２、第３溶着部Ｓ３及び第４溶着部Ｓ４で囲まれる部分を背表紙としての背表紙部３１とし、第２溶着部Ｓ２、第５溶着部Ｓ５、第６溶着部Ｓ６及び右辺で囲まれる部分を内側背表紙部３２としている。また、内側背表紙部３２には、第６折り目Ｋ６が形成されている。第６折り目Ｋ６はホルダ本体３及び仕切りシート５（収納ホルダ１）を３枚重ね合わせる際の折り曲げ部であって、例えば、ミシン目等の山折り部になっている。そして、背表紙部３１及び内側背表紙部３２の左端部には、貫通孔としての第１及び第２貫通孔Ｈ１、Ｈ２が形成されており、これにより、収納ホルダ１を折り畳んで使用する際に、折り畳みの角を容易に美しく折り畳むことができる。
【００２５】
次に、上記のように構成された収納ホルダ１の使用方法を図４に従って説明する。
まず、ユーザは、記録媒体Ｍを持ち運ぶ際や収納する際には、第１〜第４収納部２１〜２４の取り出し口２１ａ〜２４ａを手指等で摘んで第１〜第４収納部２１〜２４を手前に開いて記録媒体Ｍを収納し、各切り込み部２５と取り出し口２１ａ〜２４ａとを係合させる。これにより、持ち運びや収納の際に収納ホルダ１の向きが変化しても、記録媒体Ｍが収納ホルダ１から脱落しないようになっている。
【００２６】
また、第１〜第４収納部２１〜２４にはそれぞれ第１及び第２マチ部２８，２９が形成されているので、例えば、紙封筒等に収納された記録媒体Ｍも収納することができる。また、収納ホルダ１は軽くて薄く、１つの収納ホルダ１につき４枚の記録媒体Ｍを収納することができるので、持ち運びの際に嵩張ることがない。さらに、第１〜第４収納部２１〜２４は軟質であるため、冊子等も収納することができる。そして、書類収納部１０により書類Ｐも共に収納することができるので、書類Ｐの紛失や忘却を防ぐことができる。さらに、ホルダ本体３は半透明であるため、内部に収納された記録媒体Ｍや書類Ｐを視認できる。
【００２７】
記録媒体Ｍ及び書類Ｐを持ち帰ってきて、ラックに収納する際には、まず、ユーザは、図示しないバインダの金具から収納ホルダ１を取り外す。そして、図４（ａ）に示すように、収納ホルダ１の真ん中に形成された第２溶着部Ｓ２及び第５折り目Ｋ５をそれぞれ山折りし、第１及び第２収納部２１，２２と第３及び第４収納部２３，２４のそれぞれの仕切りシート５側が、裏シート９を挟んで向き合うようにする。次に、図４（ｂ）に示すように、第１溶着部Ｓ１及び第４折り目Ｋ４を山折りにして、第３及び第４収納部２３，２４の右端を綴じ部１１で抑えるようにする。また、このとき、書類Ｐや紙封筒等に入った記録媒体Ｍも共に折り畳むが、書類Ｐを共に折り畳む場合は、書類Ｐのうち第１及び第２貫通孔Ｈ１，Ｈ２にかかる部分が穴などにより欠けていると、容易に美しく折り畳むことができる。
【００２８】
そして、図４（ｃ）に示すように、ユーザは第３及び第４溶着部Ｓ３，Ｓ４をそれぞれ山折り、第５及び第６溶着部Ｓ５，Ｓ６（図１参照）を谷折りにする。このとき、内側背表紙部３２（図１参照）の高さが背表紙部３１の高さより若干低く形成されている。これにより、背表紙部３１と対向する内側背表紙部３２が弛んでしまって、収納ホルダ１の折り畳みを妨げることがない。また、ホルダ本体３及び仕切りシート５にはそれぞれ第１及び第２貫通孔Ｈ１，Ｈ２（図１参照）が形成されているため、収納ホルダ１の折り畳みの角を容易に美しく折り畳むことができる。また、第１〜第４収納部２１〜２４にはそれぞれ第１及び第２マチ部２８，２９が形成されている。そのため、例えば、紙封筒等に収納されていてプラケースとほぼ同じ大きさの記録媒体Ｍであっても、紙封筒等と記録媒体Ｍとの隙間は第４及び第５折り目Ｋ４，Ｋ５（図１参照）を超えて第１及び第２マチ部２８，２９（図１参照）にはみ出し、該隙間を巻き込むようにして折り畳むことができる。
【００２９】
そして、このように折り畳むと、収納ホルダ１はプラケース３３とほぼ同じ外形になる。この結果、図４（ｄ）に示すように、記録媒体Ｍ及び書類Ｐを収納ホルダ１に収納したままで他のプラケース３３と共にラック３４に収納することができるので、図示しないバインダに収納する際には収納ホルダ１を折り畳まずに使用し、ラック３４に収納する際には収納ホルダ１を折り畳んで使用することができる。すなわち、収納ホルダ１は、バインダ、ラック、ＢＯＸ等の異なる収納管理の方式に対応して、自在にその外形をそれぞれの規格に適合したサイズに変えることができる。従って、収納管理の自由度を高めるとともに複数の情報媒体を混在して扱うことができる。
【００３０】
上記実施形態によれば、以下のような効果を得ることができる。
（１）本実施形態によれば、収納ホルダ１は、第１〜第４収納部２１〜２４に記録媒体Ｍを収納し、綴じ部１１にてバインダに綴じて持ち運ぶことができる。また、収納ホルダ１を折り畳むとプラケース３３とほぼ同じ外形なので、記録媒体Ｍと書類Ｐを収納ホルダ１に収納したままで、他のプラケース３３に収納された記録媒体Ｍと共にラック３４に収納することができる。この結果、バインダに収納する際には収納ホルダ１を折り畳まずに使用し、ラック３４に収納する際には収納ホルダ１を折り畳んで使用することができる。すなわち、収納ホルダ１は、バインダ、ラック、ＢＯＸ等の異なる収納管理の方式に対応して、自在にその外形をそれぞれの規格に適合したサイズに変えることができる。従って、収納管理の自由度を高めるとともに複数の情報媒体を混在して扱うことができる。
【００３１】
（２）本実施形態によれば、仕切りシート５と裏シート９とを溶着することにより、書類収納部１０を形成したので、例えば、記録媒体Ｍに付帯する一連の資料等の書類Ｐを記録媒体Ｍと合わせて収納することができる。また、表シート７と仕切りシート５とを溶着することにより形成された第１〜第４収納部２１〜２４は軟質であるため、冊子等も収納することができる。この結果、複数の情報媒体を混在して扱うことができる。
【００３２】
（３）本実施形態によれば、収納ホルダ１は、第１〜第４収納部２１〜２４に記録媒体Ｍを収納し、綴じ部１１にてバインダに綴じて持ち運ぶことができる。また、収納ホルダ１を折り畳むとプラケース３３とほぼ同じ外形なので、記録媒体Ｍを収納ホルダ１に収納したままで、他のプラケース３３に収納された記録媒体Ｍと共にラック３４に収納することができる。この結果、例えば、ラック３４に収納するために、記録媒体Ｍを収納ホルダ１から取り出してプラケース３３に収納する必要がない。従って、持ち運びの際に嵩張らず、容易に持ち運べるとともに、記録媒体Ｍを収納する手間を削減することができる。
【００３３】
（４）本実施形態によれば、仕切りシート５の上端であって第１〜第４収納部２１〜２４に切り込み部２５を設け、各切り込み部２５と取り出し口２１ａ〜２４ａとを係合させた。これにより、持ち運ぶ際に収納ホルダ１の向きが変化しても記録媒体Ｍが収納ホルダ１から脱落するのを防ぐことができる。
【００３４】
（５）本実施形態によれば、収納ホルダ１は薄くて軽く、複数枚の記録媒体Ｍを収納できるので、持ち運びが容易であると共に嵩張らない。
（６）本実施形態によれば、綴じ穴Ｈａ〜Ｈｃは２穴用、３穴用、４穴用のバインダに対応しているので、異なる穴数のバインダを使用する際にも収納ホルダ１を綴じることができる。
【００３５】
（７）本実施形態によれば、第１〜第４収納部２１〜２４にはそれぞれ第１及び第２マチ部２８，２９が形成されており、かつ、第４及び第５折り目Ｋ４，Ｋ５は未溶着である。そのため、例えば、紙封筒等に収納されていてプラケースとほぼ同じ大きさの記録媒体Ｍであっても、第１〜第４収納部２１〜２４に収納することができる。さらに、紙封筒等
と記録媒体Ｍとの隙間は第４及び第５折り目Ｋ４，Ｋ５を超えて第１及び第２マチ部２８，２９にはみ出し、該隙間を巻き込むようにして折り畳むことにより、記録媒体Ｍは紙封筒等に収納されたまま、収納ホルダ１をプラケースとほぼ同じ外形にすることができる。
【００３６】
（８）本実施形態によれば、ホルダ本体３は半透明であるため、記録媒体Ｍ及び書類Ｐを収納ホルダ１に収納した後にも、記録媒体Ｍ及び書類Ｐを視認できる。
（９）本実施形態によれば、ホルダ本体３及び仕切りシート５にはそれぞれ第１及び第２貫通孔Ｈ１，Ｈ２が形成されている。従って、収納ホルダ１の折り畳みの角を容易に美しく折り畳んでプラケースとほぼ同じ外形にすることができる。
【００３７】
なお、上記実施形態は以下のように変更してもよい。
○上記実施形態では、ホルダ本体３は半透明であったが、透明、あるいは不透明であってもよい。また、仕切りシート５は透明であったが、半透明、あるいは不透明であってもよい。
【００３８】
○上記実施形態では、切り込み部２５によって記録媒体Ｍの脱落を防止したが、第１〜第４収納部２１〜２４にフリップを設けて、そのフリップで記録媒体Ｍの脱落を防止してもよい。
【００３９】
○上記実施形態では、収納ホルダ１が折り畳みでき、プラケース３３のようになるようにしたが、折り畳みできず書類収納部１０を備えた収納ホルダ１に応用してもよい。
○上記実施形態では、収納部は４つであったが、収納部を縦方向に２つ備えて縦長に形成された収納ホルダ１であってもよい。また、収納部を横方向に２つ備えて横長に形成された収納ホルダ１であってもよい。
【００４０】
○上記実施形態では、収納ホルダ１は、表面に収納部を４つ備え、裏面に書類収納部１０を備えたが、裏面に書類収納部１０を設けずに収納部を４つ備えた収納ホルダ１であってもよい。また、書類収納部１０を４分割して収納部とし、表面と裏面とで合わせて８つの収納部としてもよい。
【００４１】
次に、上記実施形態及び別例から把握することのできる技術的思想について、それらの効果とともに以下に記載する。
（ａ）請求項１または２に記載の収納ホルダにおいて、前記複数の収納部は４つであって、前記表シートと前記仕切りシートで形成される空間を、前記複数の溶着部にて４分割して形成したことを特徴とする収納ホルダ。
【００４２】
これによれば、一度に４枚の記録媒体や冊子を持ち運び及び収納管理することができる。
【図面の簡単な説明】
【００４３】
【図１】本実施形態の収納ホルダの表面側からみた平面図。
【図２】同じく、収納ホルダの裏面側からみた背面図。
【図３】同じく、収納ホルダの図１ａ‐ａ線での断面図。
【図４】同じく、（ａ），（ｂ），（ｃ），（ｄ）は収納ホルダの使用方法を説明するための説明図。
【符号の説明】
【００４４】
Ｍ…記録媒体、Ｐ…書類、Ｈａ〜Ｈｃ…複数の綴じ穴としての綴じ穴、Ｋ１〜Ｋ６…複数の折り目としての第１〜第６折り目、Ｓ１〜Ｓ６…複数の溶着部としての第１〜第６溶着部、１…収納ホルダ、３…ホルダ本体、５…仕切りシート、７…表シート、９…裏シー
ト、１０…書類収納部、１１…綴じ部、２１〜２４…第１〜第４収納部、２１ａ〜２４ａ…取り出し口、２５…切り込み部、２８…第１マチ部、２９…第２マチ部、３１…背表紙部、３２…内側背表紙部、３３…プラケース、３４…ラック。
【図１】
2005298033.tif 000003
【図２】
2005298033.tif 000004
【図３】
2005298033.tif 000005
【図４】
2005298033.tif 000006